(57)【特許請求の範囲】
【請求項１】
両側に上方に向けて脚片を突出させ両脚片間を連結片により一体に連結して天井バー本体を構成すると共に該天井バー本体の両側に外側方に向けて天井板の端部を保持するための天井板保持片を一体に設けて一体に形成された天井バーを設け、前記両脚片間を連結する連結片は下方に開口する凹部を形成し、該凹部の内面を照明用反射板部とし、天井バー本体の凹部の溝奥部にソケット挿入口を設け、天井バー本体の凹部の上部両側に設けた照明器具載置部に照明器具本体を載置すると共に照明器具本体から下方に突出したソケットをソケット挿入口から凹部内に突出させ、凹部内においてソケットにランプを取付けた天井バーの構造であって、前記脚片の上端面及び照明器具載置部の上端面は同一レベルとなっていて天井構造材に当接するための当て部となり、天井バーにおける前記照明器具本体を載置した箇所とは位置をずらした箇所において前記４か所の当て部を天井構造材の下面に当てた状態で、連結金具により天井バーと天井構造材とを連結したことを特徴とする天井バーの構造。
【請求項２】
天井バー本体の凹部の両側に上方に開口する配線用凹所をそれぞれ設けて成ることを特徴とする請求項１記載の天井バーの構造。
【請求項３】
天井バー本体の凹部内に設備プレートを配設すると共に設備プレートの両端部に設けたエンドプレートの端縁部を凹部の内周面に沿わせて成ることを特徴とする請求項１記載の天井バーの構造。
【請求項４】
天井バー本体の凹部の溝奥部に設備機器用開口部を設け、該設備機器用開口部に設備機器を配置し、設備プレートを設備機器用開口部の下方に対応する凹部内に配設して成ることを特徴とする請求項１記載の天井バーの構造。  
【発明の詳細な説明】
【０００１】
【産業上の利用分野】
本発明は、照明器具を設けることができる天井バーの構造に関するものである。
【０００２】
【従来の技術】
従来から図１６に示すような天井バーＡ′が知られている。この天井バーＡ′にあっては、両側に外側方に向けて天井板の端部を保持するための天井板保持片２を設けた天井バー本体を断面コ字状とし、この天井バー本体内に照明器具Ｂを配置してねじ等により取付けていた。
【０００３】
【発明が解決しようとする課題】
ところが、上記のような従来例においては、反射板Ｃを備えた照明器具Ｂを天井バーＡ′内に取付ける必要があり、取付けが面倒で施工工数が増え、施工時間も長くかかるという問題があり、しかも、反射板付き照明器具であるためコストも高くなるという問題がある。
【０００４】
本発明は上記の従来例の問題点に鑑みて発明したものであって、その目的とするところは天井バーに照明用反射板部を設けることで、照明器具を取付ける場合における施工工数を少なくし、施工時間を短くし、また、コストも下げることができる天井バーを提供するにある。また、他の目的としては、強電線、弱電線を分離して配線でき、また、設備プレートの収まりを良くすると共に照明器具の設備プレートのエンドプレートを照明器具のランプのエンドプレートとすることを可能とし、また、設備機器を収まり良く取付けることができ、また、天井バーの取付けを簡単且つ確実に行えるようにすることにある。
【０００５】
【課題を解決するための手段】
上記本発明の目的を達成するために、本発明の天井バーの構造は、両側に上方に向けて脚片２２を突出させ両脚片２２間を連結片２３により一体に連結して天井バー本体３を構成すると共に該天井バー本体３の両側に外側方に向けて天井板１の端部を保持するための天井板保持片２を一体に設けて一体に形成された天井バーＡを設け、前記両脚片２２間を連結する連結片２３は下方に開口する凹部５を形成し、該凹部５の内面を照明用反射板部４とし、天井バー本体３の凹部５の溝奥部にソケット挿入口６を設け、天井バー本体３の凹部５の上部両側に設けた照明器具載置部７に照明器具本体８を載置すると共に照明器具本体８から下方に突出したソケット９をソケット挿入口６から凹部５内に突出させ、凹部５内においてソケット９にランプ１０を取付けた天井バーの構造であって、前記脚片２２の上端面及び照明器具載置部７の上端面は同一レベルとなっていて天井構造材４５に当接するための当て部１４となり、天井バーＡにおける前記照明器具本体８を載置した箇所とは位置をずらした箇所において前記４か所の当て部１４を天井構造材４５の下面に当てた状態で、連結金具２６により天井バーAと天井構造材４５とを連結したことを特徴とする。
【０００６】
また、天井バー本体３の凹部５の両側に上方に開口する配線用凹所１１をそれぞれ設ける構成とすることも好ましい。また、天井バー本体３の凹部５内に設備プレート１２を配設すると共に設備プレート１２の両端部に設けたエンドプレート１３の端縁部を凹部５の内周面に沿わせる構成とすることも好ましい。
【０００７】
また、天井バー本体３の凹部５の溝奥部に設備機器用開口部３０を設け、該設備機器用開口部３０に設備機器３１を配置し、設備プレート１２を設備機器用開口部３０の下方に対応する凹部５内に配設して成る構成とすることも好ましい。
【０００８】
【作用】
しかして、上記のような構成の本発明によれば、天井バー本体３に長手方向の全長にわたり下方に開口する内面が照明用反射板部４となった凹部５を設けてあることで、凹部５にランプ１０を配置すると凹部５内面の照明用反射板部４をそのまま反射板として利用できるものである。また、天井バー本体３の凹部５の溝奥部にソケット挿入口６を設け、天井バー本体３の凹部５の上部に設けた照明器具載置部７に照明器具本体８を載置すると共に照明器具本体８から下方に突出したソケット９をソケット挿入口６から凹部５内に突出させ、凹部５内においてソケット９にランプ１０を取付けることで、照明器具本体８は照明器具載置部７上に載置することで取付けが簡略化でき、また、凹部５内にはソケット９を挿入するのみでよいので、収まりを良くすることができる。また４か所の当て部１４を天井構造材４５の下面に当てた状態で連結金具２６により連結するので、天井バーＡのねじれに対して強度が増強して天井構造材４５への天井バーＡの連結が安定する。
【０００９】
また、天井バー本体３の凹部５内に設備プレート１２を配設すると共に設備プレート１２の両端部に設けたエンドプレート１３の端縁部を凹部５の内周面に沿わせることで、設備プレート１２を取付けた場合における凹部５内における収まりを良くすることができ、更に、ランプ１０を支持するソケット９のランプ軸方向の隣りに設備プレート１２のエンドプレート１３が位置するようにすることで、設備プレート１２のエンドプレート１３をランプ１０のエンドプレートとして兼用できることになる。
【００１０】
【実施例】
以下、本発明を添付図面に示す実施例に基づいて詳述する。図１、図２に示すように、天井バー本体３は両側に上方に向けて脚片２２を突出させ両脚片２２間を連結片２３より一体に連結して構成してあり、この天井バー本体３の両側の下端部には外側方に向けて天井板１の端部を保持するための天井板保持片２が設けてある。両脚片２２間を一体に連結する連結片２３は下方に開口する凹部５を形成してあり、添付図面に示す実施例では略アーチ状をしている。そして、この下方に開口する凹部５は内面が照明用反射板部４となっている。天井バー本体３の凹部５の両側には凹部５を構成する連結片２３と脚片２２とで上方に開口する配線用凹所１１が形成してある。この配線用凹所１１は凹部５の両側に設けてあるので図９のように一方に弱電線２４ａを通線し、他方に強電線２４ｂを通線するものであり、このようにすることで天井裏配線をするに当たり、天井バーＡを通線経路として使用できると共に弱電線２４ａと強電線２４ｂとを分離して配線できるようになっている。
【００１１】
天井バー本体３の凹部５の上部両側には照明器具載置部７が設けてある。照明器具載置部７の側部には下方に開口した係止片２５が設けてある。また、添付図面に示す実施例では脚片２２の上端面及び照明器具載置部７の上端面は同一レベルとなっていて天井構造材４５に当接するための当て部１４となっている。また、天井バー本体３の凹部５の溝奥部には図２に示すようにソケット挿入口６が設けてある。
【００１２】
そして、上記構成の天井バーＡは図３、図４、図５に示すように、Ｃチャンネル材等により構成された天井構造材４５の下面に天井構造材４５と直交するように配置し、当て部１４を天井構造材４５の下面に当てた状態で連結金具２６により連結するようになっている。ここで、図３のように４か所の当て部１４を天井構造材４５の下面に当てた状態で連結金具２６により連結するので、天井バーＡのねじれに対して強度が増強して天井構造材４５への天井バーＡの連結が安定するものである。照明器具本体８の取付けは図６の状態から図７のようにして行うものである。そして、照明器具載置部７に照明器具本体８を載置した状態で図８に示すように、ム字状をした接続金具２７の上部の引っ掛け片２８を照明器具本体８の側部下部に設けた被引っ掛け部２９に引っ掛け、接続金具２７の下部の引っ掛け部２８を照明器具載置部７の係止片２５に係止するようになっている。このように照明器具本体８を照明器具載置部７に載置して取付けると共に照明器具本体８から下方に垂下したソケット９を凹部５の溝奥部のソケット挿入口６に差し込んでソケット９を凹部５内に突入させる。この凹部５内に突入したソケット９には蛍光灯よりなるランプ１０の端部が接続されるものである。ここで、凹部５の内面が照明用反射板部４となっているので、凹部５の内面がそのままランプ１０の反射板となるものである。天井バーＡの両側の天井板保持片２にはそれぞれ天井板１の端部が載置して保持される。
【００１３】
ところで、天井バーＡはアルミニュームなどの一体成形品で形成してあって、両脚片２２間を連結片２３により一体化してあるので、断面２次モーメントが増加し、天井バーＡのたわみ、ねじれが少なくなり、施工時の天井バーＡの変形及び照明器具本体８等の設備を設置した場合における変形を少なくするようになっている。
【００１４】
この天井バーＡの凹部５内の任意の位置には必要に応じて設備プレート１２を配設することができるようにしてある。この設備プレート１２は天井面に設けられる種々の設備機器の天井面に露出するプレートとなるものであり、例えば、空調用の吹き出し口や吸い込み口を備えたもの、あるいは、スピーカ、煙感知器や熱感知器等の感知器、あるいはスプリンクラーなどを備えたものである。設備プレート１２の両端部には上方に向けてエンドプレート１３が突設してあり、このエンドプレート１３の端縁部は凹部５の内周面に沿う形状となっている。
【００１５】
設備プレート１２を配設する凹部５の溝奥部には設備用開口部３０が設けてあり、この設備用開口部３０から配線を通したり、あるいは設備用開口部３０に設備機器３１を配置したりするようになっている。設備プレート１２は後述のばね材３２による取付けやその他の任意の取付け手段により天井バー本体３に取付けられるものである。そして、上記設備用開口部３０の天井バー本体３の長手方向の近傍の凹部５の溝奥部にソケット挿入口６が設けてあり、ソケット挿入口６に上方から挿入されて凹部５内に位置するソケット９にランプ１０を取付けた場合、ソケット９のランプ１０と反対側の近傍に設備プレート１２のエンドプレート１３が位置することになり、この設備プレート１２のエンドプレート１３がランプ１０の端部のエンドプレートを兼用することになる。ちなみに、従来は図１７、図１８に示すように天井バーＡ″間に設けた照明器具Ｂのエンドプレート５０と設備プレート１２′とは別体であるため、図１７のイで示す部分にスジが見えることになり外観が悪いが、本発明のように設備プレート１２のエンドプレート１３がランプ１０の端部のエンドプレートを兼用するとこのようなことがないものである。
【００１６】
設備プレート１２を天井バー本体３に取付けるには例えば、図１３、図１４に示すように略逆ハ字状をしたばね材３２の下部を設備プレート１２の両側に取付け、天井バー本体３の溝奥部の設備用開口部３０の両隣りに引っ掛け用孔３３を設け、ばね材３２を引っ掛け用孔３３に挿入してばね材３２を引っ掛け用孔３３の縁に弾圧することで設備プレート１２を取付けることができるようにしている。ここで、設備プレート１２にスピーカ、煙感知器や熱感知器等の感知器、あるいはスプリンクラーなどの設備機器３１が固定してある場合で且つ設備機器３１の背が高い場合には上記のようにして設備プレート１２を下方より取付けるに当たり、図１３に示すように設備用開口部３０に下方から設備機器３１を挿入して収めるものであり、また、配線、配管等もこの設備用開口部３０を挿通するものである。
【００１７】
ここで、図１４に示すように、設備機器３１が設備プレート１２と別体の場合は設備機器３１をねじなどの固着具により天井バー本体３に固着して取付けるものである。また、上記実施例においては設備プレート１２の端縁部が凹部５の内周面に沿う形状とした実施例につき説明したが、図１５に示すように設備機器３１が設備プレート１２と別体の場合において、設備機器３１を天井バー本体３にねじなどの固着具により固着し、設備用開口部３０から凹部５内に挿入された設備機器３１の下部の外側を設備プレート１２により包むように設備プレート１２を設備機器３１に任意の取付け手段により取付けるようにしてもよい。
【００１８】
【発明の効果】
本発明にあっては、上述のように、両側に上方に向けて脚片を突出させ両脚片間を連結片により一体に連結して天井バー本体を構成すると共に該天井バー本体の両側に外側方に向けて天井板の端部を保持するための天井板保持片を一体に設けて一体に形成された天井バーを設け、前記両脚片間を連結する連結片は下方に開口する凹部を形成し、該凹部の内面を照明用反射板部としてあるので、凹部にランプを配置すると凹部内面の照明用反射板部をそのまま反射板として利用でき、部材点数を削減でき、コストダウンが図れるものである。また、天井バー本体の凹部の溝奥部にソケット挿入口を設け、天井バー本体の凹部の上部両側に設けた照明器具載置部に照明器具本体を載置すると共に照明器具本体から下方に突出したソケットをソケット挿入口から凹部内に突出させ、凹部内においてソケットにランプを取付けることで、照明器具本体は凹部の上部の照明器具載置部に載置することで取付けができて照明器具本体を凹部内に下方から取付けるもののように取付けが面倒となるようなことがなく、簡単に取付けできるものであり、簡単な構成で凹部内面を反射面とした照明器具の組立ができるものである。また４か所の当て部を天井構造材の下面に当てた状態で連結金具により連結するので、天井バーのねじれに対して強度が増強して天井構造材への天井バーの連結が安定する。
【００１９】
また、天井バー本体の凹部の両側に上方に開口する配線用凹所をそれぞれ設けてあるので、設備プレートを取付けた場合における凹部内における収まりを良くすることができ、更に、ランプを支持するソケットのランプ軸方向の隣りに設備プレートのエンドプレートが位置するようにすることで、設備プレートのエンドプレートをランプのエンドプレートとして兼用できるものである。
【図面の簡単な説明】
【図１】  本発明の天井バーの断面図である。
【図２】  同上の斜視図である。
【図３】  同上の天井構造材への取付けの一例を示す断面図である。
【図４】  同上の施工状態の全体斜視図である。
【図５】  同上の施工状態の全体下面図である。
【図６】  同上の天井バーと照明器具本体との分解斜視図である。
【図７】  同上の斜視図である。
【図８】  同上の断面図である。
【図９】  同上の弱電線、強電線を収納した状態の断面図である。
【図１０】  同上の天井バーと設備プレートとの分解斜視図である。
【図１１】  同上の天井バーと設備プレートと照明器具本体とランプとを示す分解斜視図である。
【図１２】  同上の天井バーの凹部への設備プレートの配設状態を示す断面図である。
【図１３】  同上の斜視図である。
【図１４】  同上の他の実施例の分解斜視図である。
【図１５】  同上の更に他の実施例の斜視図である。
【図１６】  従来の天井バーへの照明器具の取付けを示す断面図である。
【図１７】  従来の設備プレートと照明器具のエンドプレートの関係を示す斜視図である。
【図１８】  従来の設備プレートと照明器具のエンドプレートと天井バーとの関係を示す斜視図である。
【符号の説明】
１  天井板
２  天井板保持片
３  天井バー本体
４  照明用反射板部
５  凹部
６  ソケット挿入口
７  照明器具載置部
８  照明器具本体
９  ソケット
１０  ランプ
１１  配線用凹所
１２  設備プレート
１３  エンドプレート
１４  当て部
１５  取付け金具係止部  
【図１】
0003642066.tif 000002
【図２】
0003642066.tif 000003
【図３】
0003642066.tif 000004
【図４】
0003642066.tif 000005
【図５】
0003642066.tif 000006
【図６】
0003642066.tif 000007
【図７】
0003642066.tif 000008
【図８】
0003642066.tif 000009
【図９】
0003642066.tif 000010
【図１０】
0003642066.tif 000011
【図１１】
0003642066.tif 000012
【図１２】
0003642066.tif 000013
【図１３】
0003642066.tif 000014
【図１４】
0003642066.tif 000015
【図１５】
0003642066.tif 000016
【図１６】
0003642066.tif 000017
【図１７】
0003642066.tif 000018
【図１８】
0003642066.tif 000019